(57)【要約】  ウェブに印刷するための、第１の版胴及び第１のブランケット胴を有する第１の印刷ユニットと、第１の印刷ユニットのための少なくとも１つの独立した駆動装置と、ウェブを裁断するための横裁ち装置を有する折り機とが設けられたシャフトレスウェブ印刷機において印刷対裁断見当を制御するための方法。この方法は、ウェブの少なくとも１つの印刷されたセクションを形成するために、第１の版胴及び第１のブランケット胴を用いてウェブに印刷し；少なくとも１つの印刷されたセクションの印刷対裁断見当を検出し；検出に関して第１の駆動装置を介して印刷中に第１の版胴の印刷対裁断見当を制御することを含む。制御は、第１の版胴を胴逃がしし、独立した駆動装置を用いて４第１の版胴を横裁ち装置に対して位相合わせすることを含む。周方向見当を制御するための方法と、印刷機も開示されている。
2007536112.tif 000002
【特許請求の範囲】
【請求項１】
ウェブに印刷するための、第１の版胴及び第１のブランケット胴を有する第１の印刷ユニットと、該第１の印刷ユニットのための少なくとも１つの独立した駆動装置と、ウェブを裁断するための横裁ち装置を有する折り機とが設けられた、シャフトレスウェブ印刷機において印刷対裁断見当を制御するための方法において、該方法が：
ウェブの少なくとも１つの印刷されたセクションを形成するために、第１の版胴及び第１のブランケット胴を用いてウェブに印刷するステップと；
少なくとも１つの印刷されたセクションの印刷対裁断見当を検出するステップと；
検出に関して、第１の駆動装置を介して印刷中に第１の版胴の印刷対裁断見当を制御するステップとを含み、制御が、第１の版胴を胴逃がしし、独立した駆動装置を用いて、第１の版胴を横裁ち装置に対して位相合わせすることを含むことを特徴とする、印刷対裁断見当を制御するための方法。
【請求項２】
印刷対裁断見当が所定量を超える逸脱を有する場合に、版胴の胴逃がしが行われる、請求項１記載の方法。
【請求項３】
前記所定量よりも低い場合には、ウェブは版胴と印刷接触したままであり、独立した駆動装置が横裁ち装置に対して位相合わせされる、請求項２記載の方法。
【請求項４】
前記所定量が、胴逃がしして位相調節するための時間が、胴入れして位相調節するための時間よりも短くなるように設定される、請求項２記載の方法。
【請求項５】
前記所定量が、胴逃がし機構と独立した駆動装置との公知の特性に関して予め決定される、請求項２記載の方法。
【請求項６】
印刷対裁断見当を調節するために、同じウェブを印刷する付加的な版胴を制御することを含む、請求項１記載の方法。
【請求項７】
位相合わせが逸脱を調節する、請求項２記載の方法。
【請求項８】
印刷の前に第１の版胴の位置を設定することを含む、請求項１記載の方法。
【請求項９】
印刷されたセクションが見当マークである、請求項１記載の方法。
【請求項１０】
第１の駆動装置と、第１の版胴と、ウェブに印刷する第１のブランケット胴とを有する第１の印刷ユニットが設けられておりかつ、第１の駆動装置から独立して制御可能な第２の駆動装置と、第２の版胴と、第１の版胴及び第１のブランケット胴と同じ側においてウェブに印刷する第２のブランケット胴とを有する第２の印刷ユニットが設けられた、シャフトレスウェブ印刷機において周方向見当を制御するための方法において、該方法が：
ウェブの少なくとも１つの印刷されたセクションを形成するために、第１の版胴及び第１のブランケット胴を用いてウェブに印刷しかつ、第２の版胴及び第２のブランケット胴を用いてウェブに印刷するステップと；
少なくとも１つの印刷されたセクションを介して第１の版胴と第２の版胴との周方向見当を検出するステップと；
検出に関して、第２の駆動装置を介して印刷中に第２の版胴の周方向見当を制御するステップとを含み、制御が、第２の版胴を胴逃がしし、第２の駆動装置を用いて第２の版胴を第１の版胴に対して位相合わせすることを含むことを特徴とする、シャフトレスウェブ印刷機において周方向見当を制御するための方法。
【請求項１１】
周方向の印刷対印刷見当が所定量を超える逸脱を有する場合に、第２の版胴の胴逃がしが行われる、請求項１０記載の方法。
【請求項１２】
前記所定量よりも低い場合に、第２の版胴がウェブと印刷接触したままであり、第２の駆動装置が第１の駆動装置に対して位相合わせされる、請求項１１記載の方法。
【請求項１３】
前記所定量が、胴逃がしして位相調節するための時間が、胴逃がしせずに位相調節するための時間よりも短くなるように設定される、請求項１１記載の方法。
【請求項１４】
前記所定量が、胴逃がし機構及び独立した駆動装置の公知の特性に関して予め決定される、請求項２記載の方法。
【請求項１５】
周方向見当を調節するために、同じウェブに印刷する付加的な版胴を制御する、請求項１０記載の方法。
【請求項１６】
位相合わせが逸脱を調節する、請求項１１記載の方法。
【請求項１７】
印刷の前に第１の版胴の位置を設定する、請求項１０記載の方法。
【請求項１８】
印刷されたセクションが見当合わせマークである、請求項１０記載の方法。
【請求項１９】
シャフトレスウェブ印刷機において、
ウェブに印刷するための、第１の版胴及び第１のブランケット胴を有する第１の印刷ユニットと、
ウェブに印刷する別の印刷ユニットから独立した第１の印刷ユニットのための駆動モータと、
ウェブを裁断するための、第１の印刷ユニットの下流に位置する横裁ち装置と、
第１の印刷ユニットによって印刷されたウェブのセクションを読み取るためのセンサと、
センサからの第１の入力を受け取り、第１の駆動モータを制御するための制御装置と
が設けられており、制御装置が、第１の版胴をウェブとの印刷接触から引き離し、第１の版胴を横裁ち装置に対して位相合わせすることによって、印刷対裁断見当を維持するために印刷中に第１の駆動モータを制御することを特徴とする、シャフトレスウェブ印刷機。
【請求項２０】
シャフトレスウェブ印刷機において、
ウェブの一方の側に印刷するための、第１の版胴及び第１のブランケット胴を有する第１の印刷ユニットと；
前記側においてウェブに印刷する、第２の版胴及び第２のブランケット胴を有する第２の印刷ユニットと；
第１の印刷ユニットのための第１の駆動モータと；
第１の駆動ユニットから独立した、第２の印刷ユニットのための第２の駆動モータと；
第１の印刷ユニット及び第２の印刷ユニットによって印刷されたウェブの側のセクションを読み取るためのセンサと；
センサからの第１の入力を受け取りかつ、第１の駆動モータ及び第２の駆動モータを制御するための、制御装置とが設けられており、該制御装置が、第２の版胴をウェブとの印刷接触から引き離しかつ、第２の版胴を第１の版胴に対して位相合わせすることによって、周方向見当を維持するために印刷中に第２の駆動モータを制御することを特徴とする、シャフトレスウェブ印刷機。
【発明の詳細な説明】
【技術分野】
【０００１】
本発明は、概してウェブ印刷機、特に見当制御を備えたウェブ印刷機、及びウェブの印刷対裁断見当及び／又は周方向見当を制御するための方法に関する。
【０００２】
ウェブ印刷機、例えば新聞印刷機は、１つ又は２つ以上のユニットにおいて連続的な材料ウェブを印刷する。印刷機の折り機において、ウェブは、望まれるならば折り畳まれ、次いで裁断され、新聞又は折丁が生じる。
【０００３】
英国特許出願公開第２１４９１４９号明細書には、各印刷ユニットが別個に駆動される、ウェブオフセット印刷機が記載されている。米国特許第６６０１５０６号明細書及び米国特許第６６４４１８４号明細書は、各印刷ユニットが別個に駆動され、裁断見当及び／又は色見当が、印刷胴の回転角度位置を予設定することによって制御される、ウェブオフセット印刷機を開示している。米国特許第５５４６８５９号明細書及び米国特許第５４１５０９２号明細書には、ウェブ印刷機の折り機においてカットオフ見当を予設定するための装置が記載されている。
【０００４】
米国特許出願公開第２００３／００８４７６５号明細書は、印刷ユニットと横裁ち装置との相対的な位相角度調整を用いて、及び経路長さ変更装置、例えばウェブコンペンセータを用いて、印刷された像に対する横裁ちを位置決めするための装置を開示している。この特許出願は、米国特許第５４１５０９２号明細書、米国特許第５５４６８５９号明細書、米国特許第６６０１５０６号明細書、及び米国特許第６６４４１８４号明細書のように、引用したことにより本明細書に記載されたものとする。
【０００５】
発明の簡単な概要
シャフトレス印刷機における印刷ユニットの全ての駆動装置を予設定することは、複雑で、時間がかかる。なぜならば、各印刷ユニットのための全ての駆動モータが予設定されなければならず、各胴のための位置が計算及び記憶されなければならないからである。
【０００６】
本発明の目的は、周方向の印刷対印刷見当及び／又は印刷対裁断見当に対するより迅速な変更又はオンザフライの変更を可能にすることである。
【０００７】
本発明は、ウェブを印刷するための第１の版胴と第１のブランケット胴とを有する第１の印刷ユニットと、第１の印刷ユニットのための少なくとも１つの独立した駆動装置と、ウェブを裁断するための横裁ち装置を有する折り機とが設けられたシャフトレスウェブ印刷機において印刷対裁断見当を制御するための方法を提供し、この方法は：
ウェブの少なくとも１つの印刷されたセクションを形成するために、第１の版胴と第１のブランケット胴とを使用してウェブに印刷するステップと、
少なくとも１つの印刷されたセクションの印刷対裁断見当を検出するステップと、
検出に関して、第１の駆動装置を介して印刷中に第１の版胴の印刷対裁断見当を制御するステップとを含み、制御が、第１の版胴を胴逃がしし、独立した駆動装置を使用して第１の版胴を横裁ち装置に対して位相合わせすることを含む。
【０００８】
ここでいう"版胴"は、直接に印像形成されるあらゆる印像胴であることができる。版胴のための"胴逃がし"とは、版胴がウェブと印刷接触していないことを意味し、ひいては、ブランケット胴がウェブに接触していない場合及び／又は版胴がブランケット胴に接触していない場合を含むことができる。ここでいう折り機は、１枚の折り畳まれていない枚葉紙を形成する折り機を含むことができる。
【０００９】
印刷中に、第１の版胴を胴逃がしし、第１の版胴を位相合わせすることによって、印刷対裁断見当逸脱は、ウェブテンションの問題を生じることなく迅速に調整されることができる。
【００１０】
版胴の胴逃がしは、好適には、印刷対裁断見当逸脱が所定量を超えた場合に生じる。所定量よりも低い場合は、版胴は胴入れされたままであり、独立した駆動装置は横裁ち装置に対して位相合わせされる。ウェブを破断させるか又は印刷部をこすって汚すような十分なテンションを生じないように胴入れ状態の位相合わせはゆっくりと行われるが、見当逸脱が十分に小さければ、胴入れ状態の位相合わせは、胴逃がしされた版胴を用いる場合よりも迅速に進行する。所定量は、好適には、胴入れ状態での位相調節のためのサイクル時間が、胴逃がし状態での位相調節のための時間よりも短くなるように設定される。所定量は、使用されるウェブ材料のタイプ及び抜取り機構及び駆動装置の公知の特性に関係することができる。
【００１１】
所定量は、印刷対裁断見当の逸脱の長さであることができる。
【００１２】
同じウェブに印刷する付加的な版胴は、印刷対裁断見当を調節するために第１の版胴と同様に制御されることもできる。
【００１３】
第１の版胴が胴逃がしされて位相合わせされた後、第１の版胴は再び胴入れされる。次いで、印刷対裁断見当の制御は、第１の版胴がウェブに接触している間の別の位相調節を含むことができる。
【００１４】
本発明は、第１の駆動装置と、第１の版胴と、ウェブに印刷する第１のブランケット胴とを有する第１の印刷ユニットが設けられており、第１の駆動装置から独立して駆動可能な第２の駆動装置と、第２の版胴と、第１の版胴及び第１のブランケット胴と同じ側においてウェブに印刷する第２のブランケット胴とを有する第２の印刷ユニットが設けられたシャフトレスウェブ印刷機において周方向見当を制御するための方法をも提供し、この方法は：
ウェブの少なくとも１つの印刷されたセクションを形成するために、第１の版胴及び第１のブランケット胴を用いてウェブに印刷しかつ、第２の版胴及び第２のブランケット胴を用いてウェブに印刷するステップと、
少なくとも１つの印刷されたセクションを介して第１の版胴と第２の版胴との相対的な周方向見当を検出するステップと、
検出に関して第２の駆動装置を介して印刷中に第２の版胴の周方向見当を制御するステップとを含み、制御が、第２の版胴を胴逃がししかつ、第２の駆動装置を用いて第１の版胴に対して第２の版胴を位相合わせすることを含む。
【００１５】
周方向見当の制御のために必要とされるより大きな位相変更は胴逃がしされた状態で位相合わせすることによって行われることができ、周方向見当への小さな調節は、印刷対が胴入れされたまま行われることができる。
【００１６】
本発明の周方向の印刷対印刷又は印刷対裁断見当方法において、印刷対のうちの１つがまず予設定されることができ、ウェブに印刷する各胴の予設定は不要である。各胴の様々な胴位置を記憶することは排除されることができる。例えば、第１の印刷ユニットはマスタとして機能することができ、ウェブを印刷する別の印刷ユニットは、このマスタに従うことができる。
【００１７】
ウェブの印刷されたセクションは、見当マーク又は印像の部分であることができる。
【００１８】
本発明は、
ウェブに印刷するための、第１の版胴と第１のブランケット胴とを有する第１の印刷ユニットと；
ウェブに印刷するための別の印刷ユニットから独立した、第１の印刷ユニットのための駆動モータと、
ウェブを裁断するための、第１の印刷ユニットの下流に設けられた横裁ち装置と、
第１の印刷ユニットによって印刷されたウェブのセクションを読み取るためのセンサと、
センサから第１の入力を受け取り、第１の駆動モータを制御するための制御装置と
を有するシャフトレスウェブ印刷機をも提供し、制御装置が、第１の版胴をウェブとの印刷接触から引き離しかつ第１の版胴を横裁ち装置に対して位相合わせさせることによって、印刷対裁断見当を維持するために印刷中に第１の駆動モータを制御する。
【００１９】
本発明は、
ウェブの一方の側に印刷するための、第１の版胴及び第１のブランケット胴を有する第１の印刷ユニットと、
他方の側においてウェブに印刷するための、第２の版胴及び第２のブランケット胴を有する第２の印刷ユニットと、
第１の印刷ユニットのための第１の駆動モータと、
第１の駆動ユニットから独立した、第２の印刷ユニットのための第２の駆動モータと、
第１の印刷ユニット及び第２の印刷ユニットによって印刷されたウェブの側のセクションを読み取るためのセンサと、
センサから第１の入力を受け取り、第１の駆動モータ及び第２の駆動モータを制御するための制御装置と
を有するシャフトレスウェブ印刷機をも提供し、制御装置が、第２の版胴をウェブとの印刷接触から引き離しかつ第２の版胴を第１の版胴に対して位相合わせすることによって、周方向見当を維持するために印刷中に第２の駆動モータを制御する。
【００２０】
図面の簡単な説明
以下の図面は本発明の好適な実施形態を示している。
【００２１】
図１は、周方向見当及び印刷対裁断見当制御を備えた、本発明によるウェブオフセット平版シャフトレス印刷機の実施形態を示している。
【００２２】
詳細な説明
図１は、ウェブ２，３及び４が印刷され、折り機６において新聞等の折丁又は文書７に裁断される、本発明による多色オフセット平版シャフトレス印刷機５を示している。
【００２３】
第１の印刷ユニットタワー８は印刷ユニット１０，２０，３０，４０を有しており、各印刷ユニットは、この実施形態の場合、版胴１２と、ブランケット胴１４と、ブランケット胴１６と、版胴１８とを有している。各印刷ユニット１０，２０，３０，４０の胴１２，１４，１６，１８は、それぞれモータ１９，２９，３９，４９によって独立して駆動される。制御装置７０は、モータを制御しかつ、ウェブ２，３及び４におけるマーク又は印像位置を読み取ることができるセンサ７２，７４，７６からの入力を受け取ることができる。各印刷ユニット１０，２０，３０，４０は、例えばそれぞれ異なる色、例えば、４色印像を形成するためにシアン、マゼンタ、黄及び黒を印刷することができる。
【００２４】
タワー８は、制御装置７０によって制御されるモータ５９によって駆動される、インプリンタユニット又は別のオフセット印刷ユニット５０を有することもできる。
【００２５】
様々なウェブ構成が可能であるが、図１は、例えば黒で印刷される、印刷ユニット５０によって印刷されるウェブと、印刷ユニット１０，２０，３０，４０によって例えば４色で印刷されるウェブ３とを示している。
【００２６】
ウェブ４は、例えば４つの印刷ユニットを有する第２のタワー１０８で印刷されることができ、各印刷ユニットは個々に制御可能な駆動モータを有している。
【００２７】
各印刷ユニットに２つ以上の駆動モータが設けられることもでき、例えば各印刷対、すなわち版胴／ブランケット胴の対が、駆動モータを有することができる。
【００２８】
折り機６は、ウェブ３，４，５を折丁又は紙７に裁断するための横裁ち装置８０を有しており、モータ８２は横裁ち装置８０を駆動することができる。各モータは、制御装置８０に位相又は角度位置をも提供し、基準位置に対する胴の位置又は角度を示す。したがって、モータは、横裁ち装置８０の刃が横裁ち装置８０のニップから所定の角度に位置することを示す信号を提供することができ、モータ１９は、印刷ユニット１０のニップに対する印刷対１６／１８の位置を示す信号を提供することができる。
【００２９】
例えば、引用により本明細書に記載されたものとする米国特許第５３０１６０９号明細書及び米国特許第６２２７１１１号明細書に記載されたように、版胴１８及び／又はブランケット胴１６を胴逃がしするために、各印刷ユニットは胴逃がし機構又はモータ９０をも有している。
【００３０】
制御装置７０は、センサ７４からの入力を用いて、適切な周方向見当、すなわちここでは色見当、を設定するためにモータ１９，２９，３９，４９を駆動することができる。例えば、駆動モータ４９はマスタとして使用されることができ、他のモータ１９，２９，３９はこのマスタに従うことができる。印刷ユニット１０がシアンを印刷しており、印刷ユニット４０が黒を印刷しており、センサ７４がシアンが黒に対する見当がずれて印刷されていることを決定すると、プロセッサ７０は、見当を調節するために必要とされるモータ１９のための位相変化を決定する。必要とされる位相変化が、予め決定された又は推定された所定量を超えるならば、ウェブ３が印刷ユニット１０を通過し続けながらプロセッサ７０は（ブランケット胴１６を胴逃がしする手段を含む）胴逃がし機構９０を介して版胴１８を胴逃がしする。次いで、版胴１８は、胴逃がしされたまま、印刷ユニット４０におけるウェブ３の同じ側における版胴に対して必要に応じて位相合わせされ、再び胴入れされる。
【００３１】
見当の逸脱を調節するための所要の位相変化が所定量よりも小さい場合には、モータ１９は、版胴が胴入れされたままモータ４９に対して位相合わせされることができる。
【００３２】
印刷しながら位相変更することは、通常、ウェブの破断を回避するようにゆっくりと行わなければならないが、版胴が胴逃がしされている場合には迅速に行うことができるので、本発明は、見当の逸脱を調節するために必要とされる時間を著しく短縮することができる。
【００３３】
前記所定量は、予め決定されることができ、例えば、経験に基づいてオペレータによって設定されることができる。所定量は、好適には、（１）胴逃がし機構の特性、例えば版胴を胴入れ及び胴逃がしするためにどのくらい長くかかるか、（２）駆動モータ及び制御装置印刷機の特性、例えばウェブが依然として印刷されている間にどれだけ速く駆動モータが位相合わせされるかに対する版胴が胴逃がしされている場合、及び（３）ウェブ自体の特性、例えばウェブが印刷されながら駆動モータが位相合わせされている時にウェブが破断することにウェブがどれだけ敏感であるか、に関連している。
【００３４】
周方向印刷対印刷見当制御に加えて、制御装置は、印刷対裁断見当調節をも提供する。例えば、センサ７２が、ウェブ２上の印像の印刷対裁断見当が不適切であると決定すると、プロセッサは、横裁ち装置８０のためのモータ８２に対する、モータ５９のための位相調節を決定することができる。必要とされる位相変化が、予め決定される又は推定されることができる所定量を超えるならば、ウェブ２が印刷ユニット５０を通過し続けながらプロセッサ７０が胴逃がし機構９１を介して版胴を胴逃がしする。次いで、版胴は、胴逃がしされたまま横裁ち装置８０に対して必要に応じて位相合わせされ、再び胴入れされる。位相変化が所定量よりも小さいならば、駆動モータ５９は、ウェブ２が印刷されながら位相合わせされる。
【００３５】
センサ７４は、ウェブ３のための印刷対裁断見当フィードバック制御をも提供することができ、この制御では、色見当を保存するために、大きな位相調節が必要とされるならば、ウェブ３を印刷する全ての版胴が胴逃がしされることができる。
【００３６】
プロセッサ７０及びセンサ７２，７４，７６によって提供されるフィードバック制御は連続的であることができる。
【００３７】
センサ７２，７４，７６はアングルバー９４の前に配置されることができる。ウェブ２，３，４は縦断ちされてリボンを形成し、横裁ち装置８０に進入する前にリボンセクション９５において再統合される。アングルバーから横裁ち装置８０へのウェブ及びリボンの走行は、例えば、行われている印刷ジョブのタイプから知られることができ、したがって、センサ７２，７４，７６によって提供される印刷対裁断見当情報は十分である。しかしながら、印刷対裁断見当能力を改良するために、横裁ち装置８０のより近くに複数のセンサ９６、例えば各リボンに対して１つのセンサ、を提供することは有利である。
【図面の簡単な説明】
【００３８】
【図１】周方向見当及び印刷対裁断見当制御を備えた、本発明によるウェブオフセット平版シャフトレス印刷機の実施形態を示している。
【符号の説明】
【００３９】
２，３，４  ウェブ、  ５  印刷機、  ６  折り機、  ８  第１の印刷ユニットタワー、  １０，２０，３０，４０，５０  印刷ユニット、  １２，１８  版胴、  １４，１６  ブランケット胴、  １９，２９，３９，４９，５９  モータ、  ７０  制御装置、  ７２，７４，７６  センサ、  ８０  横裁ち装置、  ８２  モータ、  ９０，９１  胴逃がし機構又はモータ、  ９４  アングルバー、  ９５  リボンセクション
【図１】
2007536112.tif 000003
【手続補正書】
【提出日】平成19年6月14日(2007.6.14)
【手続補正１】
【補正対象書類名】特許請求の範囲
【補正対象項目名】請求項１
【補正方法】変更
【補正の内容】
【請求項１】
ウェブに印刷するための、第１の版胴及び第１のブランケット胴を有する第１の印刷ユニットと、該第１の印刷ユニットのための少なくとも１つの独立した駆動装置と、ウェブを裁断するための横裁ち装置を有する折り機とが設けられた、シャフトレスウェブ印刷機において印刷対裁断見当を制御するための方法において、該方法が：
ウェブの少なくとも１つの印刷されたセクションを形成するために、第１の版胴及び第１のブランケット胴を用いてウェブに印刷するステップと；
少なくとも１つの印刷されたセクションの印刷対裁断見当を検出するステップと；
検出に関して、独立した駆動装置を介して印刷中に第１の版胴の印刷対裁断見当を制御するステップとを含み、制御が、第１の版胴を胴逃がしし、独立した駆動装置を用いて、第１の版胴を横裁ち装置に対して位相合わせすることを含むことを特徴とする、印刷対裁断見当を制御するための方法。
【手続補正２】
【補正対象書類名】特許請求の範囲
【補正対象項目名】請求項１９
【補正方法】変更
【補正の内容】
【請求項１９】
シャフトレスウェブ印刷機において、
ウェブに印刷するための、第１の版胴及び第１のブランケット胴を有する第１の印刷ユニットと、
ウェブに印刷する別の印刷ユニットから独立した第１の印刷ユニットのための駆動モータと、
ウェブを裁断するための、第１の印刷ユニットの下流に位置する横裁ち装置と、
第１の印刷ユニットによって印刷されたウェブのセクションを読み取るためのセンサと、
センサからの第１の入力を受け取り、独立した駆動モータを制御するための制御装置と
が設けられており、制御装置が、第１の版胴をウェブとの印刷接触から引き離し、第１の版胴を横裁ち装置に対して位相合わせすることによって、印刷対裁断見当を維持するために印刷中に独立した駆動モータを制御することを特徴とする、シャフトレスウェブ印刷機。
【国際調査報告】
2007536112.tif 000004
2007536112.tif 000005
2007536112.tif 000006
2007536112.tif 000007